(57)【要約】【課題】  操作身体部位の操作ユニットへの接近を高精度かつ安価に検出でき、接近方向の特定も容易な車両用操作身体部位接近検出装置及びそれを用いた車載用電子機器操作ユニットを提供する。【解決手段】  着座する乗員Ｐの身体と容量結合する座席１５０側の電極を介して交流波形からなる接近信号を入力し、他方、操作入力部側には、その乗員Ｐの指等の操作身体部位が接近するに伴いこれと容量結合する検出電極４２を設け、その検出電極４２を経て入力される交流の接近信号を波形検出部４３にて検出することにより接近検知を行なう。【選択図】  図４
2008238952.tif 000002
【特許請求の範囲】
【請求項１】
前記車両内の座席に着座した乗員から操作可能な位置に設けられた操作入力部と、
着座する前記乗員の身体と容量結合するべく前記座席に設けられた信号電極と、
前記信号電極に予め定められた交流波形よりなる接近信号を出力する接近信号出力部と、
前記操作入力部を操作しようとする前記乗員の操作身体部位の接近を検出可能な位置に、その接近距離に応じた容量にて前記操作身体部位と容量結合するべく設けられた検出電極と、
前記信号電極から前記乗員の身体及び前記検出電極を経て入力される前記接近信号を検出する波形検出部と、
該波形検出部による検出波形に基づいて前記操作身体部位の接近を検出し、その検出結果を出力する接近検出出力部と、
を有したことを特徴とする車両用操作身体部位接近検出装置。
【請求項２】
前記接近信号出力部は、前記接近信号として予め定められた周波数の搬送波波形をデータ信号にて変調した変調交流信号として出力するものであり、
前記接近検出出力部は、前記変調交流信号から前記データ信号を復調する復調回路と、復調されたデータ信号の内容に基づいて前記操作身体部位の接近の有無を特定する請求項１記載の車両用操作身体部位接近検出装置。
【請求項３】
前記入力操作部を操作可能な複数の座席に前記信号電極がそれぞれ設けられるとともに、
前記接近信号出力部は、前記座席毎に異なる接近信号を対応する前記信号電極にそれぞれ出力するものであり、
前記接近検出出力部は、特定された接近信号の相違に基づいて、前記操作身体部位がいずれの座席の側から接近したものであるかを特定し、その特定結果を出力するものである請求項１又は請求項２に記載の車両用操作身体部位接近検出装置。
【請求項４】
前記接近信号出力部は、前記座席毎に異なる周波数にて前記接近信号を対応する前記信号電極にそれぞれ出力するものであり、
前記接近検出出力部は、特定された接近信号の周波数の相違に基づいて、前記操作身体部位がいずれの座席の側から接近したものであるかを特定し、その特定結果を出力するものである請求項３に記載の車両用操作身体部位接近検出装置。
【請求項５】
前記接近信号出力部は、前記接近信号として予め定められた周波数の搬送波波形を、前記座席毎に異なる内容のデータ信号にて変調した変調交流信号として出力するものであり、
前記接近検出出力部は、前記変調交流信号から前記データ信号を復調する復調回路を有するとともに、復調されたデータ信号の内容に基づいて、前記操作身体部位がいずれの座席の側から接近したものであるかを特定し、その特定結果を出力するものである請求項３に記載の車両用操作身体部位接近検出装置。
【請求項６】
車両内に取り付けて使用され、請求項１ないし請求項５のいずれか１項に記載の車両用操作身体部位接近検出装置を備えるとともに、該車両に搭載された車載用電子機器の操作入力を行なうための前記操作入力部が筐体の操作前面側に設けられ、かつ、該操作前面側にて前記操作入力部に対応する位置に前記検出電極が設けられたことを特徴とする車載用電子機器操作ユニット。
【請求項７】
前記操作入力部に随伴して設けられた該操作入力部の存在位置を示すインジケータ用光源と、前記接近検出出力部による該操作入力部への前記操作身体部位の接近検出出力を受けて前記インジケータ光源を点灯駆動するインジケータ光源駆動手段とを有する請求項６記載の車載用電子機器操作ユニット。
【請求項８】
請求項３ないし請求項５のいずれか１項に記載の車両用操作身体部位接近検出装置を備えるとともに、
前記操作入力部には、前記操作身体部位の接近検出がなされる座席種別に応じて互いに異なる複数の機器機能が割り当てられてなり、
前記接近検出出力部による、前記操作身体部位がいずれの座席の側から接近したものであるかの特定結果出力に基づいて、特定された座席に対応する機器機能を前記操作入力部に設定する機器機能設定手段が設けられてなる請求項６又は請求項７に記載の車載用電子機器操作ユニット。
【請求項９】
請求項３ないし請求項５のいずれか１項に記載の車両用操作身体部位接近検出装置を備えるとともに、
前記接近検出出力部により、前記操作入力部に対し前記操作身体部位が予め定められた無効化対象座席の側から接近したものであることが特定された場合に、該操作入力部への操作入力を無効化する操作入力無効化手段を備えてなる請求項６ないし請求項８のいずれか１項に記載の車載用電子機器操作ユニット。
【発明の詳細な説明】
【技術分野】
【０００１】
この発明は、車両用操作身体部位接近検出装置及びそれを用いた車載用電子機器操作ユニットに関する。
【背景技術】
【０００２】
【特許文献１】特開２００２−９１６７４号公報
【０００３】
カーエアコン、カーナビゲーションシステムあるいはカーオーディオシステム等の車載電子機器の操作ユニットにおいて、操作者の手ないし指などの操作身体部位の操作ユニットへの接近を検出し、その検出結果を利用して制御を行なうニーズがある。具体例として通常時は表示や照明が消灯したブラックフェースの状態で、操作者が操作しようと手を近づけたときにのみ表示や照明を点灯させたり、同じスイッチでも運転席から操作する場合と助手席から操作する場合とで機能を切り替えたり、さらには、走行中の運転席側からの操作を禁止したりするニーズを例示することができる。
【０００４】
操作身体部位の操作ユニットへの接近検出方式としては、下記のごとく、従来様々な方法が提案されてきた。
（１）車室内の画像を撮影し、画像処理によって運転席や助手席に座った人の手の動きを検出する。
（２）超音波の発信器と受信器を用い、操作しようとする手によって反射された超音波を検出する。
（３）赤外光の発光器と受光器を用い、操作しようとする手によって赤外光が遮断ないし反射されたことを受光器で検出する（特許文献１）。
（４）操作しようとする手が近づいたことを、手と操作スイッチ間の静電容量の測定により検出する。
【発明の開示】
【発明が解決しようとする課題】
【０００５】
しかし、上記従来の方式には以下のごとき欠点がある。（１）の方式では、カメラで撮影した画像データに対する複雑な処理が必要であり、また、画像処理であるため外光などによる車室内の照度や、操作ユニットの筐体ないし操作部の配色、操作者の肌の色や手袋の色など、環境条件で検出精度が大きく変化する問題がある。（２）の超音波を用いる方式は、常時発信される超音波による乗員やペットなどへの影響について配慮が必要な場合がある。（３）の方式は、赤外光の受光器が必要であり、外光の影響を直接受けやすいので、安定した動作を確保するために受光器の搭載位置が制約される問題がある。（４）の方式では、指先などで操作する場合、発生する静電容量が微少なため非常に高い検出精度が必要となり、装置コストの高騰を招く。また、いずれの方式においても、操作者の車内着座位置ひいては操作の方向を検出するためには複数の検出手段が必要であり、正確な識別も難しい難点がある。
【０００６】
本発明の課題は、操作身体部位の操作ユニットへの接近を高精度かつ安価に検出でき、接近方向の特定も容易な車両用操作身体部位接近検出装置及びそれを用いた車載用電子機器操作ユニットを提供することにある。
【課題を解決するための手段及び発明の効果】
【０００７】
上記課題を解決するために、本発明の車両用操作身体部位接近検出装置は、
車両内の座席に着座した乗員から操作可能な位置に設けられた操作入力部と、
着座する乗員の身体と容量結合するべく座席に設けられた信号電極と、
信号電極に予め定められた交流波形よりなる接近信号を出力する接近信号出力部と、
操作入力部を操作しようとする乗員の操作身体部位の接近を検出可能な位置に、その接近距離に応じた容量にて操作身体部位と容量結合するべく設けられた検出電極と、
信号電極から乗員の身体及び検出電極を経て入力される接近信号を検出する波形検出部と、
該波形検出部による検出波形に基づいて操作身体部位の接近を検出し、その検出結果を出力する接近検出出力部と、を有したことを特徴とする。
【０００８】
また、本発明の車載用電子機器操作ユニットは、車両内に取り付けて使用され、上記本発明の車両用操作身体部位接近検出装置を備えるとともに、該車両に搭載された車載用電子機器の操作入力を行なうための操作入力部が筐体の操作前面側に設けられ、かつ、該操作前面側にて操作入力部に対応する位置に検出電極が設けられたことを特徴とする。
【０００９】
本発明によると、着座する乗員の身体と容量結合する座席側の電極を介して交流波形からなる接近信号を入力し、他方、操作入力部側には、その乗員の指等の操作身体部位が接近するに伴いこれと容量結合する検出電極を設け、その検出電極を経て入力される交流の接近信号を波形検出部にて検出することにより接近検知を行なう。これにより、複雑な画像処理が不要で外乱光等の影響も受けず、操作身体部位の操作ユニットへの接近を高精度かつ安価に検出することが可能となる。
【００１０】
接近信号出力部は、接近信号として予め定められた周波数の搬送波波形をデータ信号にて変調した変調交流信号として出力するものであり、接近検出出力部は、変調交流信号からデータ信号を復調する復調回路と、復調されたデータ信号の内容に基づいて操作身体部位の接近の有無を特定するように構成できる。変調交流信号に対する同調及び該変調交流信号からのデータ信号の復調により、ノイズ等の影響を受けにくい高精度の接近検知を行なうことができる。
【００１１】
次に、本発明は、入力操作部を操作可能な複数の座席に信号電極をそれぞれ設け、接近信号出力部は、座席毎に異なる接近信号を対応する信号電極にそれぞれ出力するものとして構成することができる。この場合、接近検出出力部は、特定された接近信号の相違に基づいて、操作身体部位がいずれの座席の側から接近したものであるかを特定し、その特定結果を出力するよう構成できる。この構成によると、座席毎に信号電極を設け、その信号電極に座席毎に異なる接近信号を出力することで、検出電極に現れる接近信号の相違から、どの座席の乗員が操作身体部位を検出電極に近づけたか（つまり、操作身体部位の接近方向）を極めて簡単に、かつ高精度に特定することができる。
【００１２】
接近信号出力部は、座席毎に異なる周波数にて接近信号を対応する信号電極にそれぞれ出力するよう構成できる（例えば、前述の変調交流信号の場合、その搬送波の周波数を、座席毎に異なるものとする）。接近検出出力部は、特定された接近信号の周波数の相違に基づいて、操作身体部位がいずれの座席の側から接近したものであるかを特定し、その特定結果を出力するものとして構成することができる。この方式によると、周知のフィルタリング処理等により特定周波数の接近信号を容易に抽出でき、操作身体部位がどの座席から接近したのかをより簡単に、かつ高精度に特定することができる。
【００１３】
一方、接近信号出力部は、接近信号として予め定められた周波数の搬送波波形を、座席毎に異なる内容のデータ信号にて変調した変調交流信号として出力するように構成することもできる。接近検出出力部は、変調交流信号からデータ信号を復調する復調回路を有するとともに、復調されたデータ信号の内容に基づいて、操作身体部位がいずれの座席の側から接近したものであるかを特定し、その特定結果を出力するものとして構成することができる。この方式によると、接近信号から分離されるデータ信号の内容の相違に基づいて、操作身体部位がどの座席から接近したのか確実に特定することができる。この場合、各座席について、同一周波数の搬送波を使用するようにすれば、フィルタ回路あるいは復調回路を座席間で共用化することも可能となり、回路構成の軽量化を図ることができる。
【００１４】
操作身体部位の接近検出結果は、車載用電子機器操作ユニット上にて種々の目的に活用することができる。例えば、操作入力部に随伴して設けられた該操作入力部の存在位置を示すインジケータ用光源と、接近検出出力部による該操作入力部への操作身体部位の接近検出出力を受けてインジケータ光源を点灯駆動するインジケータ光源駆動手段とを設けることができる。夜間や暗所であれば、手探りにて操作入力部を探す場合、操作身体部位が接近すれば対応するインジケータ光源が点灯するので、操作入力部を容易に特定することができる。また、昼間においても、操作身体部位の接近によりインジケータ光源を、車両側の一種の歓迎動作として点灯させることが可能であり、乗員を楽しませることができる。
【００１５】
また、操作入力部に、操作身体部位の接近検出がなされる座席種別に応じて互いに異なる複数の機器機能が割り当てられている場合は、接近検出出力部による、操作身体部位がいずれの座席の側から接近したものであるかの特定結果出力に基づいて、特定された座席に対応する機器機能を操作入力部に設定する機器機能設定手段を設けることができる。本発明の採用により、操作を発生させる乗員の着座位置を車両側にて簡単に判別でき、操作入力部に対する機器機能の自動設定切替も確実に行なうことができる。
【００１６】
また、接近検出出力部により、操作入力部に対し操作身体部位が予め定められた無効化対象座席の側から接近したものであることが特定された場合には、該操作入力部への操作入力を無効化する操作入力無効化手段を設けることができる。この構成により、使用可能な操作入力部を座席別にカスタマイズすることができ、例えば、走行中における運転席側からの操作を禁止しつつ、助手席側からの操作は許容する、といった機能も簡単に実現することができる。
【発明を実施するための最良の形態】
【００１７】
以下、本発明の実施の形態を、図面を用いて説明する。
図１Ａは、本発明の車載用電子機器操作ユニットの一実施形態をなすカーエアコン用操作ユニットの正面外観の一例を示すものである。このカーエアコン用操作ユニット１００（以下、単に「操作ユニット１００」ともいう）は、車両のインパネ部に設けられた運転席用エアコン吹出し口（図示せず）と助手席用エアコン吹出し口（図示せず）との各吹出し制御を独立して行なうためのためのものであり、運転席と助手席との間で共用される操作入力部としての温度設定スイッチ５４が配置されている。温度設定スイッチ５４はダイアルスイッチにて構成され、樹脂製の本体に検出電極４２がそれぞれ埋め込まれている。
【００１８】
また、筐体パネル１１０には、他の操作入力部として、運転席と助手席との温度設定に係るデュアルモード選択スイッチ６１、オート／マニュアル切替スイッチ１０３、Ａ／Ｃスイッチ５９、デフモード選択スイッチ６２及び内気／外気切替スイッチ６０が設けられている。これら各スイッチはいずれも押しボタンスイッチであり、樹脂製の本体に検出電極４２がそれぞれ埋め込まれるとともに、インジケータ光源４９が設けられている。該インジケータ光源４９は、図１Ｂに示すように、各スイッチに対応する主機能が選択された主機能選択状態表示用の第一発光ダイオード４９Ｐ（点灯色：例えば緑）と、検出電極４２により操作者の指（操作身体部位）の接近が検知された場合のスイッチ位置報知用に点灯する、第一発光ダイオード４９Ｐとは点灯色の異なる第二発光ダイオード４９Ｓ（点灯色：例えばアンバー）とを有する。また、風量設定スイッチ５２、吹き出しモード（吹き出し口）を切り替えるためのモードスイッチ５３、送風オフスイッチ５８及びリアデフスイッチ７０も設けられ、それぞれ検出電極４２と、スイッチ位置報知用の第二発光ダイオード４９Ｓのみからなるインジケータ光源４９’とが設けられている。
【００１９】
また、筐体パネル１１０には、このほか、運転席と助手席との各設定温度や風量ないし吹出し口の設定状態を表示する表示部（液晶ディスプレイにて構成されている）６３が設けられている。
【００２０】
図２は、エアコン制御装置ＣＡの全体構成を模式的に示すブロック図である。空調装置ＣＡはダクト１を備え、該ダクト１には、車内空気を循環させるための内気吸い込み口１３と、車外の空気を取込む外気吸い込み口１４とが形成され、内外気切替ダンパー１５によりいずれかが切替使用される。これら内気吸い込み口１３ないし外気吸い込み口１４からの空気は、ファン１６によってダクト１内に吸い込まれる。
【００２１】
ダクト１内は、吸い込まれた空気を冷却して冷気を発生させるためのエバポレータ１７と、逆にこれを加熱して暖気を発生させるヒータコア２（エンジン冷却水の廃熱により発熱動作する）とが設けられている。そして、これら冷気と暖気とが、エアミックスダンパー３の角度位置に対応した比率にて混合され、吹出し口４，５，６より吹出される。このうち、フロントグラス曇り止め用のデフ吹出し口４はフロントグラスの内面下縁に対応するインパネ上方奥に、フェイス吹出し口５はインパネの正面中央に、フット吹出し口６はインパネ下面奥の搭乗者足元に対向する位置にそれぞれ開口し、吹出し口切替用ダンパー７，８，９により個別に開閉される。
【００２２】
具体的には、モータ２０からのダンパー制御用の回転入力位相に応じて、ダンパー駆動ギア機構１０により、デフ吹出し口４のみを開いた状態、フェイス吹出し口５のみを開いた状態、フット吹出し口６のみを開いた状態、フェイス吹出し口５とフット吹き出し口６とを開いた状態、及びフット吹出し口６とデフ吹出し口４とを開いた状態の間で切り替えられる。
【００２３】
また、内外気切替ダンパー１５はモータ２１により、エアミックスダンパー３はモータ１９により、吹出し口切替用ダンパー７，８，９はモータ２０により、それぞれ電動駆動される。これらモータ１９，２０，２１は例えばステッピングモータにて構成される。さらにブロワモータ２３はブラシレスモータ等で構成され、ＰＷＭ制御にて回転速度制御することにより吹出し風量が調整される。これらモータ（アクチュエータ）１９〜２１，２３の動作はエアコンＥＣＵ５０により集中制御される。
【００２４】
エアコンＥＣＵ５０の実体はコンピュータハードウェアであり、その入出力部には、エバポレータセンサ５１、内気センサ５５、外気センサ５６、水温センサ５７及び日射センサ５８が接続されている。
【００２５】
また、エアコンＥＣＵ５０には、前述のモードスイッチ５３、温度設定スイッチ５４、デュアルモード選択スイッチ６１、オート／マニュアル切替スイッチ１０３、Ａ／Ｃスイッチ５９、内外気切替スイッチ６０、デフモード選択スイッチ６２、内気／外気切替スイッチ６０及びリアデフスイッチ７０もインジケータ用光源４９，４９’（の駆動部）とともに接続されている（また、図１の送風オフスイッチ５８もインジケータ用光源４９’とともに接続されているが、図２には表れていない）。
【００２６】
エアコンＥＣＵ５０は、搭載された制御アプリケーションの実行により、以下のような制御を行なう。
・内外気切替スイッチ６０の操作入力状態に対応して、内気側及び外気側のいずれかに内外気切替用ダンパー１５が倒れるよう、対応するモータ２１の駆動ＩＣに制御指令を行なう。
・Ａ／Ｃスイッチ５９の操作状態に応じて、エバポレータ１７の作動をオン・オフさせる。
【００２７】
・オート／マニュアル切替スイッチ１０３の入力状態に基づいて、エアコンの動作モードをマニュアルモードとオートモードとの間で切り替える。
・オートモードでは、温度設定スイッチ５４による設定温度の入力情報と、内気センサ５５、外気センサ５６、水温センサ５７及び日射センサ５８の出力情報とを参照し、車内温度が設定温度に近づくよう周知のシーケンスに従い、エアミックスダンパー３の開度調整による吹出し温度調整と、ブロワモータ２３による風量調整と、吹出し口切替ダンパー７，８，９の位置変更とがなされるよう、対応するモータ１９，２３，２０の動作制御指令を行なう。
・マニュアルモードでは、風量設定スイッチ５２とモードスイッチ５３との操作入力状態に対応して、ブロワモータ２３による風量調整を行なうとともに、吹出し口切替ダンパー７，８，９が対応する開閉状態となるようにモータ２０への駆動制御指令を行なう。
【００２８】
・デュアルモード選択スイッチ６１がオンのとき、運転席と助手席とのいずれの側から温度設定スイッチ５４が操作されたかを後述の方法により判別し、操作のあった座席側の吹出し温度を独立して設定変更する。一方、デュアルモード選択スイッチ６１がオフのときは、運転席と助手席とのいずれの側から温度設定スイッチ５４が操作された場合においても、左右の吹出し温度設定を連動して設定変更する。
・デフモード選択スイッチ６２の操作に伴い、フロントガラス側のデフ吹出し口の開閉制御を行なう。
・リアデフスイッチ７０の操作に伴い、図示しないリアガラスの電熱線に通電し、リアガラスの曇り除去を行なう。
【００２９】
次に、エアコンＥＣＵ５０には、本発明の車両用操作身体部位接近検出装置４０（以下、接近検出装置４０ともいう）が接続されている。図３に示すように、該接近検出装置４０は、座席１５０に設けられた信号電極４１と、操作ユニット１００に設けられた各スイッチ類（操作入力部）に随伴する検出電極４２（図１Ａも参照）と、これら電極４１，４２が接続されるコントローラ４０Ｃとを有する。信号電極４１は座席１５０の座部１５０Ｓの着座面側に埋設されている。また、信号電極４１が設けられる座席１５０は、少なくとも運転席とその隣の助手席であるが、それ以外の座席（例えば、後部座席等）に設けることも可能である。ただし、本実施形態では、運転席と助手席にのみ信号電極４１を設けている。
【００３０】
図４は、コントローラ４０Ｃの基本構成を示すものである。座席に乗員Ｐが着座すると、信号電極４１は、その乗員Ｐの身体と容量結合するとともに（その等価容量をＣ１で表わしている）、予め定められた交流波形よりなる接近信号を出力する接近信号出力部４７が接続されている。一方、操作ユニット１００側の検出電極４２は、操作のため乗員Ｐが指（操作身体部位）を近づけると、その接近距離に応じた容量にて操作身体部位と容量結合する。
【００３１】
信号電極４１に入力される交流波形からなる接近信号は、乗員Ｐの身体を経て検出電極４２から波形検出部４３に入力される。本実施形態では、接近信号は所定周波数の正弦波交流波形（例えば、３０ｋＨｚ、５Ｖp-p）であり、検出電極４２が検出する検出信号波形はアンプＩＣ１で増幅され（入力側には、ツェナーダイオードＤ１，Ｄ２を用いたサージ保護回路が設けられている）、フィルタ４４にて希望周波数帯の信号成分（ここでは３０ｋＨｚ）が抽出される。抽出された信号成分は検波回路４５（ダイオードＤ３、コンデンサＣ３及び抵抗Ｒ２からなる周知の包絡線検波回路として構成されている）を経て接近判定データ信号に復調され、接近検出出力部をなすＣＰＵ４６のＡ／Ｄ変換ポート４６ａに入力される。
【００３２】
検出電極４２に対する指の距離が大きい場合は、信号電極４１から指を経て放射される接近信号の検出電圧レベルが低く、ＣＰＵ４６における接近信号のＡ／Ｄ変換ポート４６ａへの接近判定データ信号の入力電圧が閾値未満となって、指（操作身体部位）が接近していないと判定できる。
【００３３】
他方、検出電極４２に対する指の距離がある閾値未満に小さくなると接近信号の検知電圧レベルが十分高くなり、接近検出出力部４６における接近判定データ信号の入力電圧が閾値を超えることで、指（操作身体部位）の接近を検出できる。接近判定データ信号の入力電圧閾値（つまり、接近検出の閾距離）は、信号電極４１に与える電圧や、検出電極４２の面積、アンプＩＣ１の増幅率を考慮して適宜設定される。
【００３４】
接近判定データ信号は、閾レベルよりも単に高いか低いかのみで接近判定結果を示す１ビットの情報であってもよいが、ノイズ等の影響を受け難くするために、複数ビットからなるデータとしておくことがより望ましい。この場合は、図５に示すように、上記周波数の搬送波を、該ビットデータを示す信号にて変調した変調交流信号を接近信号として用いればよい。接近信号出力部４７は、搬送波の発振回路と、その出力をスイッチングするトランジスタ等を含む周知の構成を採用可能であり、該トランジスタをＣＰＵ４６が前述のビットパターンに対応するシーケンスにてオン／オフ駆動することで搬送波が変調され、接近信号として出力される。つまり、ＣＰＵ４６は接近信号出力部４７の駆動制御部も兼ねている。この実施形態では、正弦波搬送波をビットデータ信号によりオン／オフ変調している。
【００３５】
該変調交流入力波形は検波回路４５にて上記ビットデータを反映した接近判定データ信号に復調される（つまり、検波回路４５が復調回路を構成する）。ＣＰＵ４６では、Ａ／Ｄ変換ポート４６ａへの該接近判定データ信号の入力値を二値化するとともに、その結果が予め決められたビットパターンと一致したときのみ指の接近ありと判定し、操作検出信号Ｑを出力する。
【００３６】
図１において、風量設定スイッチ５２、デュアルモード選択スイッチ６１、オート／マニュアル切替スイッチ１０３、Ａ／Ｃスイッチ５９、デフモード選択スイッチ６２、内気／外気切替スイッチ６０、送風オフスイッチ５８及びリアデフスイッチ７０は、左右の座席のどちらから操作されたかを特に区別することなく、エアコンＥＣＵ５０はその操作内容に応じて同じ制御処理を行なうことになる。そして、指がこれらスイッチ（の検出電極４２）に対し閾距離未満に接近することにより、各スイッチに随伴するインジケータ光源４９は次のような動作となるようにエアコンＥＣＵ５０により駆動制御される。
【００３７】
オート／マニュアル切替スイッチ１０３、Ａ／Ｃスイッチ５９、デフモード選択スイッチ６２、内気／外気切替スイッチ６０及びリアデフスイッチ７０は、いずれも１回押す毎に機能選択状態がサイクリックに切り替わる。そして、各スイッチボタンに表示された主機能（例えば、オート／マニュアル切替スイッチ１０３ではオートモードが設定された状態、Ａ／Ｃスイッチ５９ではエバポレータがオンの状態、デフモード選択スイッチ６２ではデフ吹出し状態等）が選択されている場合には、図１Ｂにてインジケータ光源４９は、指の接近とは無関係に、その主機能選択表示用の第一発光ダイオード４９Ｐ（点灯色：例えば緑）を点灯させる。
【００３８】
この状態で指の接近が検知された場合は、第二発光ダイオード４９Ｓ（点灯色：例えばアンバー）に点灯が切り替わる。また、主機能が選択されていない場合は、指の接近が検知されていなければインジケータ光源４９は第一発光ダイオード４９Ｐ及び第二発光ダイオード４９Ｓは双方とも消灯（又は第二発光ダイオード４９Ｓの低輝度点灯状態）となり、指の接近が検知されていれば第二発光ダイオード４９Ｓが点灯（又は高輝度点灯状態）となる。なお、インジケータ光源４９を単一の発光ダイオードで構成し、主機能の選択状態と指の接近検知状態とを、その発光ダイオードの出力輝度の相違により表示するようにしてもよい。
【００３９】
風量設定スイッチ５２、送風オン／オフスイッチ５８は、上機主機能の概念が存在せず、インジケータ光源４９’は指の接近報知用の単一の発光ダイオードからなる。そして、指の接近が検知されていなければインジケータ光源４９’は消灯（又は低輝度点灯状態）となり、指の接近が検知されていれば点灯（あるいは高輝度点灯状態）となる。また、モードスイッチ７０は、前述の５種類の吹き出しモードをサイクリックに切り替えるものであるが、同様に、インジケータ光源４９’は指の接近報知用の単一の発光ダイオードからなる。
【００４０】
次に、温度設定スイッチ５４については、デュアルモード機能が搭載されていなければ、操作者の座席の区別は同様に行なう必要がない。しかし、上記のようにデュアルモード機能が搭載されている場合は、その操作が運転席からのものであるか助手席からのものであるかを区別する必要が生ずる。この場合は、コントローラ４０を図６のように構成する。すなわち、運転席と助手席には、図３の同じ形態にて信号電極４１がそれぞれ埋設され、それぞれ個別の接近信号出力部４７Ｄ，４７Ｎにより互いに異なる周波数（本実施形態では、運転席側が３０ｋＨｚ、助手席側が５０ｋＨｚである）の接近信号が入力される。温度設定スイッチ５４（図１）に設けられた検知電極４２に、波形検出部４３’が接続されている。その増幅段の構成は図４と同じであるが、アンプＩＣ１の出力は各接近信号の周波数に対応した通過帯域を有するフィルタ４４Ｄ，４４Ｎに分配入力され、各通過波形がそれぞれ独立した検波回路４５Ｄ，４５Ｎを経てＣＰＵ４６の異なるＡ／Ｄ変換ポート４６ａ，４６ｂに入力される。
【００４１】
温度設定スイッチ５４への指の接近が運転席側からのものであれば、フィルタ４４Ｄの通過波形の出力レベルが高くなり、同じく助手席側からのものであれば、フィルタ４４Ｄの通過波形の出力レベルが高くなる。従って、（検波回路４５Ｄ，４５Ｎを経て）これらが個別に入力されるＡ／Ｄ変換ポート４６ａ，４６ｂのいずれにおいて、有意な接近信号が検出されているかに応じ、温度設定スイッチ５４への操作がどちらの座席からのものであるかを識別することができる。ＣＰＵ４６は、これを受けて、操作のあった座席種別が反映された操作検出信号Ｑを出力する。
【００４２】
各Ａ／Ｄ変換ポート４６ａ，４６ｂの入力内容に基づく接近有無判定は、図４の場合と全く同じである。運転席側と助手席側との接近信号にて異なるのは搬送波の周波数であり、例えば、これを変調するビットデータの内容は運転席側と助手席側との間で同じとすることができる。ただし、運転席側と助手席側との間で、図７のごとくビットデータの内容を異ならせることも可能である。
【００４３】
また、運転席側と助手席側との間でビットデータの内容を異ならせる場合は、図８に示すように、運転席側と助手席側との接近信号の搬送波周波数を同じに設定することも可能である。ビットデータによる搬送波の変調内容が相違するので、接近信号出力部４７Ｄ，４７Ｎは個別に設けられている。しかし、搬送波周波数が同一のため、フィルタ及び検波に係る波形検出部４３の構成は図４と同様一つで済む。検波後の波形は共通のＡ／Ｄ変換ポート４６ａに入力され、ＣＰＵ４６はそのビットパターンの内容を解析することにより操作のあった座席種別を判定することができる。運転席側と助手席側との各接近信号出力部４７Ｄ，４７Ｎは、ビットデータによる変調内容が相違する接近信号を、例えば時分割にて交互に出力するように構成することができる。
【００４４】
ＣＰＵ４６が出力する、座席種別が反映された操作検出信号Ｑを用いて、エアコンＥＣＵ５０は、例えば次のような制御を行なうことができる（いずれも単独で、もしくは互いに組み合わせて実施することができる）。
（１）デュアルモード選択時には、温度スイッチ２４の操作に伴い、前述のごとく、操作のあった座席側の吹出し温度を独立して設定変更する。この場合、温度スイッチ２４の機能は、運転席側からの操作であれば運転席側の温度設定変更機能となり、助手席側からの操作であれば助手席側の温度設定変更機能となるので、特定された座席に対応する機器機能を操作入力部に設定する機器機能設定手段が実現していることが明らかである。
（２）デュアルモード非選択時には、運転席と助手席とのいずれの側から温度設定スイッチ５４が操作された場合においても、左右の吹出し温度設定を連動して設定変更する。なお、助手席側から温度設定スイッチ５４が操作された場合に、デュアルモード選択スイッチ６１の操作とは無関係にデュアルモードに自動的に移行し、助手席側の吹出し温度を独立して設定変更するように構成することも可能である。
（３）運転席と助手席とのいずれでもない座席（無効化対象座席：例えば後部座席）から操作があると、温度スイッチ２４の検出電極４２には接近信号の入力そのものがなくなるので、これに基づいて、該接近検知対象外座席からの温度スイッチ２４への操作を無効化することが可能である。この場合、温度スイッチ２４が操作されても、運転席と助手席との温度設定はいずれも変化しない。つまり、予め定められた無効化対象座席の側から指が接近したことが特定されるに伴い、温度スイッチ２４への操作入力を無効化する操作入力無効化手段の機能が実現している。
【００４５】
以上、本発明の実施形態を、カーエアコン用操作ユニットへの適用を例にとって説明したが、これ以外の車載用電子機器の操作ユニットにももちろん適用可能である。例えば、図９は、カーナビゲーションシステムへの適用例を示すものである。この場合、ディスプレイ２０１には、その画面に重ね配置された案内設定用のタッチパネル２０３と、ディスプレイの筐体に配置された操作スイッチ類２０２との双方が接近検知対象となりうるが、ここでは、タッチパネル２０３を利用した目的地定などの案内設定入力操作を、運転席側に限って走行中は制限する場合を例に取る。ナビゲーションＥＣＵ２００には、本発明の接近検出装置４０と車速センサ２０２とが接続される。車速センサ２０２が検出する車速が閾速度未満では、運転席及び助手席のいずれからもタッチパネル２０３による案内設定入力操作が可能である。しかし、車速が閾速度を超えたとき、タッチパネル２０３に組み込まれた透明電極を検出電極２４２として、図６又は図８と同様の構成の接近検出装置４０により、その操作が運転席からのものか助手席からのものであるかが判定される。
【００４６】
そして、運転席側からの操作であった場合は、タッチパネル２０３への操作入力を無効化する（つまり、運転席が無効化対象座席である：タッチパネル２０３の下のディスプレイに表示されたソフトボタンのうち、操作不能のものを消去したり反転表示等に変更したりすることで操作不能状態であることを運転者に報知することができる）。他方、助手席側からの操作であった場合は、タッチパネル２０３への操作入力を受け付けるようにする。カーナビゲーションシステムにおける、特定座席からの操作入力を無効化する技術思想については公知であるので、これ以上の詳述は行なわない。
【図面の簡単な説明】
【００４７】
【図１Ａ】本発明の適用対象となるカーエアコン用操作ユニットの一例を示す正面図。
【図１Ｂ】インジケータ用光源の構成例を示す回路図。
【図２】エアコン制御装置の全体構成を模式的に示すブロック図。
【図３】本発明の車両用操作身体部位接近検出装置の全体構成を示す模式図。
【図４】本発明の車両用操作身体部位接近検出装置のコントローラ部分の第一実施例を示す回路図。
【図５】接近信号の一例を示す説明図。
【図６】本発明の車両用操作身体部位接近検出装置のコントローラ部分の第二実施例を示す回路図。
【図７】座席別に異なるビットデータを用いる例を説明する図。
【図８】本発明の車両用操作身体部位接近検出装置のコントローラ部分の第三実施例を示す回路図。
【図９】本発明の適用対象となるカーナビゲーションシステムの一例を示す概略ブロック図。
【符号の説明】
【００４８】
４１  信号電極
４２  検出電極
４３、４３’  波形検出部
４６  ＣＰＵ（接近検出出力部）
４７，４７Ｄ，４７Ｎ  接近信号出力部
４９，４９’  インジケータ用光源（操作入力部）
５２  風量設定スイッチ（操作入力部）
５３  モードスイッチ（操作入力部）
５４  温度設定スイッチ（操作入力部）
５８  送風オフスイッチ（操作入力部）
５９  Ａ／Ｃスイッチ（操作入力部）
６０  内気／外気切替スイッチ（操作入力部）
６１  デュアルモード選択スイッチ（操作入力部）
６２  デフモード選択スイッチ（操作入力部）
７０  リアデフスイッチ（操作入力部）
１００  車両用操作身体部位接近検出装置
１０３  オート／マニュアル切替スイッチ（操作入力部）
１５０  座席
２０３  タッチパネル（操作入力部）
【図１Ａ】
2008238952.tif 000003
【図１Ｂ】
2008238952.tif 000004
【図２】
2008238952.tif 000005
【図３】
2008238952.tif 000006
【図４】
2008238952.tif 000007
【図５】
2008238952.tif 000008
【図６】
2008238952.tif 000009
【図７】
2008238952.tif 000010
【図８】
2008238952.tif 000011
【図９】
2008238952.tif 000012